(57)【特許請求の範囲】
【請求項１】
エレベータのかご室の床板の上面にかご床保護マットが敷かれるエレベータのかご床において、
かご室壁の下側部に構成されるとともにかご室内法よりも外側に引き下がった垂直面が設けられる巾木台と、
上記巾木台の垂直面に固定されるとともに被噛合部材が設けられる巾木固定具と、
意匠面の裏面側に上記被噛合部材と噛合う噛合部材が設けられる巾木と、
を備え、
上記被噛合部材は、上記巾木台の垂直面の法線に対して上向きに傾いており、
上記噛合部材は、上記巾木の裏面の法線に対して下向きに傾いており、
上記かご床保護マットは、かご室壁よりも外側の床板の上面まで拡げられ、
上記巾木を上記巾木固定具に対してかご室内側上方から外側下方に向け挿入することにより上記巾木の下端面が上記かご床保護マットを上記床板に押し付けることを特徴とするエレベータのかご床。
【請求項２】
上記巾木の下端面に凹凸が設けられたことを特徴とする請求項１に記載のエレベータのかご床。
【請求項３】
上記巾木の下端面に摩擦材が貼付されたことを特徴とする請求項１に記載のエレベータのかご床。
【発明の詳細な説明】
【技術分野】
【０００１】
この発明は、エレベータのかご床に関するものである。
【背景技術】
【０００２】
エレベータのかご床の上面には通常かご床保護マットが敷かれるが、両面テープや接着剤等で固定されていない場合、乗客の乗り降りで位置がずれてしまう。それを防ぐために、両面テープや接着剤で保護マットを床板に固定しようとするが、容易に交換が出来なくなってしまう。そこで、エレベータのかご床に敷かれるマットの前端を押さえるエレベータのかご床マット押さえ具を用い、押さえ具が、かご床に接着される接着部と、この接着部から上側に折り返されてマットの前端の一部を狭持する狭持部を設けた（例えば、特許文献１参照）。
【先行技術文献】
【特許文献】
【０００３】
【特許文献１】実開平７−３５４６６号公報
【発明の概要】
【発明が解決しようとする課題】
【０００４】
しかし、出入口部に押さえ具が出っ張っているので、車椅子使用者や台車搬入時に邪魔になる恐れがある。
また、かご床保護マットの位置ズレ防止のために、押さえ具というエレベータには必要のない余分な部品を使用しなければならない。
【０００５】
この発明は、前記のような課題を解決するためになされたものであり、車椅子使用者や台車搬入時も考慮し、出入口部に出っ張ることがなく、且つかご床保護マットの位置ズレ防止の為に余分な部品を使用しないエレベータのかご床を得ることを目的とする。
【課題を解決するための手段】
【０００６】
この発明に係るエレベータのかご床は、エレベータのかご室の床板の上面にかご床保護マットが敷かれるエレベータのかご床において、かご室壁の下側部に構成されるとともにかご室内法よりも外側に引き下がった垂直面が設けられる巾木台と、上記巾木台の垂直面に固定されるとともに被噛合部材が設けられる巾木固定具と、意匠面の裏面側に上記被噛合部材と噛合う噛合部材が設けられる巾木と、を備え、上記被噛合部材は、上記巾木台の垂直面の法線に対して上向きに傾いており、上記噛合部材は、上記巾木の裏面の法線に対して下向きに傾いており、上記かご床保護マットは、かご室壁よりも外側の床板の上面まで拡げられ、上記巾木を上記巾木固定具に対してかご室内側上方から外側下方に向け挿入することにより上記巾木の下端面が上記かご床保護マットを上記床板に押し付ける。
【発明の効果】
【０００７】
この発明に係るエレベータのかご床は、巾木を斜め下方に向って巾木固定具に噛み合わせることにより、巾木の下端でかご床保護マットを押付けるので、乗客が乗降りしてもかご床保護マットが位置ズレすることがなくなるとともに、かご床保護マットの固定に両面テープや接着剤等も使用していない為、かご床保護マットも容易に交換可能であるという効果を奏する。
また、巾木は通常のエレベータに装備される部品である為、かご床保護マットの位置ズレ防止の為に部品が増えることもないという効果を奏する。
【図面の簡単な説明】
【０００８】
【図１】この発明の実施の形態１に係るエレベータのかご床を備えるかご室の横断面図である。
【図２】この発明の実施の形態１に係るかご床の縦断面図である。
【図３】図２の断面ＢＢでの断面図である。
【図４】係止部材を巾木台に固定しつつ、かご床保護マットを床板に留める様子を示す断面図である。
【図５】この発明の実施の形態２に係るエレベータのかご床を示す断面図である。
【図６】この発明の実施の形態３に係るエレベータのかご床を示す断面図である。
【発明を実施するための形態】
【０００９】
以下、この発明のエレベータのかご床の好適な実施の形態につき図面を用いて説明する。
実施の形態１．
図１は、この発明の実施の形態１に係るエレベータのかご床を備えるかご室の横断面図である。図２は、この発明の実施の形態１に係るかご床の縦断面図である。図３は、図２の断面ＢＢでの断面図である。
この発明に係るかご室１は、かご室１の内側面を覆うかご室壁２と、かご室壁２の下側に配置される巾木台４と、かご床１１と、を備える。なお、以下、このかご室壁２の内法をかご室内法と称す。
かご室壁２は、下部が外側に折り曲げられた水平な面２ａが設けられ、その水平な面２ａに固定用穴２ｂが開けられている。
巾木台４は、かご室内法より外側に垂直面４ａと、垂直面４ａの上端から内側に延びる水平面４ｂと、を有する。そして、垂直面４ａと水平面４ｂには固定穴４ｄと壁固定穴４ｃが開けられている。
かご室壁２と巾木台４とは、固定用穴２ｂと壁固定穴４ｃを介してボルト類９により固定される。
【００１０】
この発明の実施の形態１に係るかご床１１は、床板１２のほぼ全面に亘って敷かれるかご床保護マット７と、かご床保護マット７を床板１２に係止する係止部材１３と、を有する。
かご床保護マット７は、外形寸法がかご室内法より大きく、周縁部は巾木台４の中に入り込んでいる。
係止部材１３は、巾木台４の入口をほぼ覆う巾木８と、巾木８を巾木台４に固定する巾木固定具５と、を有する。
巾木８は、巾木台４に固定したときには下端面８ｃと床板１２の表面との隙間はかご床保護マット７の厚みより小さい。そして、巾木８には、意匠面８ａと裏面８ｂが有り、意匠面８ａがかご室１内に面し、裏面８ｂが巾木台４に面する。裏面８ｂには噛合部材としての上下方向に平行な２枚の軒１４ａ、１４ｂが設けられている。軒１４ａ、１４ｂは、根元が裏面８ｂに固定され、裏面８ｂの法線に対して下向きに傾いている。また、軒１４ａ、１４ｂは、先端に断面形状が三角形の突起が設けられており、上側に位置する軒１４ａの突起は下向きに突起し、下側に位置する軒１４ｂの突起は上向きに突起している。
【００１１】
巾木固定具５は、巾木台４の垂直面４ａに接する根元板５ａと、根元板５ａの上下両端からかご室１内側に延びる被噛合部材としての軒１５ａ、１５ｂと、巾木固定具５を巾木台４の垂直面４ａに固定するリベット６と、を有する。根元板５ａにはリベット６が設けられ、リベット６を固定穴４ｄを貫通してリベット６を垂直面４ａの反対側まで突き出し、突き出したリベット６を潰して根元板５ａを巾木台４に固定する。
軒１５ａ、１５ｂは、根元板５ａの法線に対して傾いており、巾木台４には上向き方向に傾くように固定される。また、軒１５ａ、１５ｂは、先端に断面形状が三角形の突起が設けられており、上側に位置する軒１５ａの突起は上向きに突起し、下側に位置する軒１５ｂの突起は下向きに突起している。
【００１２】
ここで、巾木固定具５を巾木台４に固定し、かご床保護マット７を床板１２に押え付ける様子を説明する。図４は、係止部材１３を巾木台４に固定し、かご床保護マット７を床板１２に押え付ける様子を示す断面図である。図４の（ａ）は、巾木８を巾木台４に挿入する前の様子である。図４の（ｂ）は、突起同士が乗り越えようとするときの様子である。図４の（ｃ）は、巾木８が巾木固定具５に噛合った様子である。
まず、軒１５ａ、１５ｂが垂直面４ａの法線方向に対して上向きになるように、巾木固定具５を巾木台４の垂直面４ａにリベット６を用いて固定する。
次に、かご床保護マット７の周縁部が巾木台４の内側に入り込むように、かご床保護マット７を床板１２に拡げる。
次に、巾木８の意匠面８ａがかご室１の内側に、裏面８ｂが巾木台４側に向くようにしながら、巾木８の軒１４ａ、１４ｂと巾木固定具５の軒１５ａ、１５ｂとが噛み合うように巾木８を下向きに押し込む。軒１４ａの突起と軒１５ａの突起が突き当たると、軒１４ａが上方に反り返るとともに軒１５ａが下方に反り返ることにより一方の突起が他方の突起を乗り越えて噛み合う。
また、軒１４ｂの突起と軒１５ｂの突起が突き当たると、軒１４ｂが下方に反り返るとともに軒１５ｂが上方に反り返ることにより一方の突起が他方の突起を乗り越えて噛み合う。
このようにして巾木８が巾木台４に固定される。同時に、巾木８の下端面８ｃがかご床保護マット７を上から押し付けて固定する。
【００１３】
この発明の実施の形態１に係るエレベータのかご床１１は、巾木８を下方斜めに向って巾木固定具５に噛み合わせることにより、巾木８の下端面８ｃでかご床保護マット７を床板１２に押付けるので、乗客が乗り降りしてもかご床保護マット７がずれることがなくなる。
また、かご床保護マット７のずれ防止に両面テープや接着剤を使用しておらず、巾木固定具５との噛み合わせを外して巾木８を巾木台４から取り除くことにより、かご床保護マット７も容易に交換可能である。
また、巾木８は通常のエレベータに装備される部品である為、かご床保護マット７の位置ズレ防止の為に部品が増えることもない。
【００１４】
実施の形態２．
図５は、この発明の実施の形態２に係るエレベータのかご床を示す断面図である。
この発明の実施の形態２に係るエレベータのかご床１１Ｂは、図５に示すように、この発明の実施の形態１に係るエレベータのかご床１１と巾木８Ｂが異なっており、それ以外は同様であるので、同様な部分に同じ符号を付記し説明を省略する。
この発明の実施の形態２に係る巾木８Ｂは、この発明の実施の形態１に係る巾木８と下端面８ｃＢが異なり、それ以外は同様であるので、同様な部分に同じ符号を付記し説明を省略する。
下端面８ｃＢには、凹凸２０が加工されている。
このようにこの発明の実施の形態２に係るエレベータのかご床１１Ｂは、かご床保護マット７を床板１２に押し付ける巾木８の下端面８ｃＢに凹凸２０が設けられているので、巾木８とかご床保護マット７との摩擦力が大きくなり、かご床保護マット７の位置ずれ防止効果がより高くなる。
【００１５】
実施の形態３．
図６は、この発明の実施の形態３に係るエレベータのかご床を示す断面図である。
この発明の実施の形態３に係るエレベータのかご床１１Ｃは、この発明の実施の形態１に係るエレベータのかご床１１に摩擦材２１を追加したことが異なっており、それ以外は同様であるので、同様な部分に同じ符号を付記し説明を省略する。
この発明の実施の形態２に係る摩擦材２１は、摩擦力の高いゴムなどの材質から作られ、巾木８の下端面８ｃに貼り付けられている。
このようにこの発明の実施の形態３に係るエレベータのかご床１１Ｃは、かご床保護マット７を床板１２に押し付ける巾木８の下端面８ｃに摩擦材２１を貼り付けられているので、巾木８とかご床保護マット７との摩擦力が大きくなり、かご床保護マット７の位置ずれ防止効果がより高くなる。
【００１６】
なお、上述の実施の形態では、巾木８の裏面に斜めに傾いた軒１４ａ、１４ｂの先端に突起および巾木固定具５の傾いた軒１５ａ、１５ｂの先端に突起を設け、噛み合わせることにより、巾木８を巾木固定具５に固定しているが、巾木８を下向き斜めから巾木固定具５に固定できれば、上述の構成に限るものではない。
【符号の説明】
【００１７】
１  かご室、２  かご室壁、２ａ  水平面、２ｂ  固定用穴、４  巾木台、４ａ  垂直面、４ｂ  水平面、４ｃ  壁固定穴、４ｄ  固定穴、５  巾木固定具、５ａ  根元板、６  リベット、７  かご床保護マット、８、８Ｂ  巾木、８ａ  意匠面、８ｂ  裏面、８ｃ、８ｃＢ  下端面、９  ボルト類、１１、１１Ｂ、１１Ｃ  エレベータのかご床、１２  床板、１３  係止部材、１４ａ、１４ｂ  軒、１５ａ、１５ｂ  軒、２０  凹凸、２１  摩擦材。
【図１】
0005511248.tif 000002
【図２】
0005511248.tif 000003
【図３】
0005511248.tif 000004
【図４】
0005511248.tif 000005
【図５】
0005511248.tif 000006
【図６】
0005511248.tif 000007